(57)【特許請求の範囲】
【請求項１】
形状、又は前面デザインが上下の方向性を有した装飾部材と、該装飾部材の背面に固定された抜け落ち防止部材と、を備え、前記抜け落ち防止部材を衣服に形成したスリット状の装着穴に前面から挿通して該装着穴の背面側に突出させることにより前記装飾部材を該装着穴の前面側に係止するように構成されたバッヂであって、
前記抜け落ち防止部材は、一端を前記装飾部材背面に固定した小径の軸部と、該軸部の他端に一体化された大径の係止片と、を備え、
前記係止片は、前記装飾部材が正規の姿勢で前記装着穴の前面側に係止されるようにその重心が下方に偏位していることを特徴とするバッヂ。
【請求項２】
前記係止片は、前記軸部に一体化された基部と、該基部によって上下動自在に支持された可動錘部と、を備え、
前記可動錘部は、前記基部背面に連設した上昇位置と、該上昇位置から下降した下降位置との間を進退自在に支持されていることを特徴とする請求項１に記載のバッヂ。
【請求項３】
前記軸部は、前記スリット状の装着穴に沿った細長い断面積を有していることを特徴とする請求項１又は２に記載のバッヂ。
【発明の詳細な説明】
【技術分野】
【０００１】
本発明は校章バッヂ、社章バッヂ等のように上着の襟等に設けたスリット状の穴を利用して取り付けられるタイプのバッヂの改良に関するものである。
【背景技術】
【０００２】
校章バッヂ、社章バッヂは、制服やスーツの上着の襟等に設けたスリット状の装着穴（ボタンホール）に取り付けるタイプが一般的である。このタイプのバッヂは、校章等の意匠を象ったバッヂ本体と、バッヂ本体の背面に設けられた脱落防止部材と、を備えている。脱落防止部材としては、バッヂ本体の背面から突出したネジ棒状の軸部と、軸部に螺着されるナットと、から構成されているタイプが知られている（特許文献１）。このバッヂをスリット状の装着穴に取り付ける際には、ナットを外した状態で前面側から装着穴内に軸部を差込み、装着穴背面側に突出した軸部にナットを螺着する。
しかし、このタイプのバッヂは、部品点数が２個となり、コストがアップするばかりか、ナットを軸部に締結する操作が煩雑であるという問題がある。また、通常ナットの周縁に山形の滑り止め突起が設けられるため、この滑り止め突起が装着穴周辺の衣服を傷つけるという問題がある。更に、バッヂ取付けに際してバッヂ本体の意匠が正規の方向を向いていない場合には、それに気付いて修正しない限り、そのままの状態となる。或いは取付け時にはバッヂ本体が正規の方向を向いていたとしても、ナットが緩むことによりバッヂ本体が軸部を中心として回転してしまい、バッヂ本体の意匠が正規の姿勢を維持できなくなるという問題があった。
【０００３】
特許文献２、３には、バッヂ本体の背面からピンを逆Ｌ字状に下向きに突出させ、このピン先端に別部材のキャッチ部を挿通して係止するようにしたバッヂの留め具が開示されている。これらのバッヂの留め具は、ピンを衣服の襟等に前面から突き刺して背面側に突出させ、背面側に突出したピン先端にキャッチ部を取り付けるものである。ピンはバッヂ本体と固定されている部分から逆Ｌ字状に下方に屈曲しているため、ピン先端に取り付けたキャッチ部の重さによりバッヂ本体を常に正しい姿勢に維持することが可能である。
しかし、このタイプは衣服の地の部分にピンを突き刺すことによってピンが衣服の貫通穴によって挟圧保持されて抜け落ちしにくくしており、衣服の襟などに形成したスリット状の装着穴内にピンを差し込んだ場合にはピンが装着穴内で動いてしまい、バッヂ本体が傾倒したり、回転してその方向性が定まらなくなる虞がある。
また、何れもピンと、キャッチ部との二部品を必要とするため、部品点数が増大し、キャッチ部を紛失すると使用できなくなるという問題がある。
【先行技術文献】
【特許文献】
【０００４】
【特許文献１】特開平１０−３１３９０６号公報
【特許文献２】実開昭６２−１４１３１５号公報
【特許文献３】特開平１１−２４４０１１号公報
【発明の概要】
【発明が解決しようとする課題】
【０００５】
本発明は上記に鑑みてなされたものであり、上着の襟等に設けたスリット状の装着穴を利用して取り付けられるタイプのバッヂにおいて、装着穴内に一部を差し込むだけで取付けが完了し、しかも装着穴内に取り付けた場合であってもバッヂ本体が回転することがないため、バッヂ本体が回転してその方向性が正規の姿勢からズレをおこすという不具合がないバッヂを提供する。
【課題を解決するための手段】
【０００６】
上記目的を達成するため、請求項１の発明に係るバッヂは、形状、又は前面デザインが上下の方向性を有した装飾部材と、該装飾部材の背面に固定された抜け落ち防止部材と、を備え、前記抜け落ち防止部材を衣服に形成したスリット状の装着穴に前面から挿通して該装着穴の背面側に突出させることにより前記装飾部材を該装着穴の前面側に係止するように構成されたバッヂであって、前記抜け落ち防止部材は、一端を前記装飾部材背面に固定した小径の軸部と、該軸部の他端に一体化された大径の係止片と、を備え、前記係止片は、前記装飾部材が正規の姿勢で前記装着穴の前面側に係止されるようにその重心が下方に偏位していることを特徴とする。
請求項２の発明は、前記係止片は、前記軸部に一体化された基部と、該基部によって上下動自在に支持された可動錘部と、を備え、前記可動錘部は、前記基部背面に連設した上昇位置と、該上昇位置から下降した下降位置との間を進退自在に支持されていることを特徴とする。
請求項３の発明では、前記軸部は、前記スリット状の装着穴に沿った細長い断面積を有していることを特徴とする。
【発明の効果】
【０００７】
本発明のバッヂは、抜け落ち防止部材を、一端を前記装飾部材背面に固定した小径の軸部と、該軸部の他端に一体化された大径の係止片と、から構成し、係止片は、装飾部材が正規の姿勢で装着穴の前面側に係止されるようにその重心が下方に偏位している構成としたので、スリット状の装着穴内に一部を差し込むだけで取付けが完了し、しかも装着穴内に取り付けた場合であってもバッヂ本体が回転してその方向性が正規の姿勢からズレをおこすという不具合がなくなる。
また、抜け落ち防止部材を装着穴内に差し込む際には、差込み易い形状を維持することができる一方で、差し込んだ後は低重心の形態に変形して装飾部材の姿勢を正規に維持することができる。
【図面の簡単な説明】
【０００８】
【図１】（ａ）（ｂ）及び（ｃ）は本発明の一実施形態に係るバッヂの構成を示す正面図、背面側斜視図、及び衣服のバッヂ装着穴に取り付けた状態を示す側部縦断面図であり、（ｄ）は、軸部の他の構成例を示す断面図である。
【図２】（ａ）（ｂ）及び（ｃ）は本発明の他の実施形態に係るバッヂの構成を示す側面図、及び平面横断面図である。
【図３】（ａ）及び（ｂ）は本発明の他の実施形態に係るバッヂの構成を示す側面図、及び分解斜視図であり、（ｃ）は可動錘部の分解図である。
【発明を実施するための形態】
【０００９】
以下、本発明を図面に示した実施の形態により詳細に説明する。
図１（ａ）（ｂ）及び（ｃ）は本発明の一実施形態に係るバッヂの構成を示す正面図、背面側斜視図、及び衣服のバッヂ装着穴に取り付けた状態を示す側部縦断面図であり、（ｄ）は、軸部の他の構成例を示す断面図である。
このバッヂ１は、形状、又は前面デザインが上下の方向性を有した装飾部材２と、装飾部材の背面に固定された抜け落ち防止部材１０と、を備え、抜け落ち防止部材１０を衣服（スーツの上着の襟やワイシャツの襟、或いは胸ポケット部分）に形成したスリット状の装着穴Ｓに前面から挿通して装着穴の背面側に突出させることにより装飾部材を装着穴の前面側に係止するように構成されている。
抜け落ち防止部材１０は、一端を装飾部材背面に固定した小径の軸部１１と、軸部の他端に一体化された大径の係止片１５と、を備えている。係止片１５は、装飾部材２が正規の姿勢を維持した状態で装着穴の前面側に係止されるようにその重心が下方に偏位している。
図示した例に係る装飾部材２は、デザイン上、二本の細長い部分３が交差部４で交差してＶ字状に拡大する部分下部で、ハート形の部分が上部である。この場合、レイアウト上、交差部４に軸部１１を突設せざるを得ないため、抜け落ち防止部材１０を衣服のスリット状の装着穴内に差し込んだ場合、抜け落ち防止部材１０が単なる弾丸形状であると、バッヂ全体が軸部を中心として回転し、装飾部材２が正規の姿勢からずれてしまう。
【００１０】
本実施形態では、抜け落ち防止部材１０をその重心が下方に偏位するように偏重心（低重心）構造としているため、（ｃ）に示したように係止片１５の下部１５ａが下方に位置した状態で安定する。このため、装飾部材２の姿勢も常に正規の姿勢を維持することができる。
なお、軸部１１を回転し易い円筒状とせずに、（ｄ）に示したように回転し難い板状（スリット状の装着穴に沿った細長い断面形状）に構成すれば、スリット状の装着穴内で軸部１１が回転し難くなり、装飾部材の姿勢を更に正規の姿勢に安定させ易くなる。特に、スリットが横長である場合には、横長の軸部１１をスリット内に差し込むことにより、抜け落ち防止部材１０による低重心化が更に促進され、取付け状態を安定化させることができる。
なお、上記実施形態では、抜け落ち防止部材１０の基本形状を先端の径が漸減する弾丸形状とし、その上半分の重量が下半分の重量よりも軽くなるように構成したが、基本形状はスリット状の装着穴内に差し込む際に支障がなく、かつ装着後は抜け落ちし難い形状であれば、弾丸形状でなくても良い。例えば、円錐形、円筒形を基本形状とし、上半分を下半分よりも軽量化する等が考えられる。
【００１１】
次に、図２（ａ）（ｂ）及び（ｃ）は本発明の他の実施形態に係るバッヂの構成を示す側面図、及び平面横断面図である。
このバッヂ１は、形状、又は前面デザインが上下の方向性を有した装飾部材２と、装飾部材の背面に固定された抜け落ち防止部材１０と、を備え、抜け落ち防止部材１０を衣服に形成したスリット状の装着穴に前面から挿通して装着穴の背面側に突出させることにより装飾部材を装着穴の前面側に係止するように構成されている。
抜け落ち防止部材１０は、一端を装飾部材背面に固定した小径の軸部１１と、軸部の他端に一体化された大径の係止片１５と、を備えている。係止片１５は、軸部１１の他端に固定された基部２０と、基部２０によって上下動自在に支持された可動錘部２１と、を備えている。
【００１２】
図２（ａ）のように可動錘部２１が上方に位置して基部２０の背面と連設された状態（上昇位置）にある時には弾丸形状、その他、スリット状の装着穴Ｓに装着し易い形状となっている。一方、（ａ）の状態で抜け落ち防止部材１０をスリット状の装着穴に装着した後では、（ｂ）のように可動錘部２１を下方にスライドさせて重心を下方（下降位置）へ移動させることで、装飾部材２の姿勢を常に上向きの正規の状態に維持することが可能となる。
基部２０により可動錘部２１を上下動自在に支持する構造としては、（ｃ）に示したように基部２０の背面に設けた係合突起２０ａを、可動錘部２１の前面に設けた上下方向へ延びる溝２１ａ内に係合させる手法を挙げることができる。勿論、可動錘部前面に係合突起を設け、基部背面に溝を設けても良い。
係合突起は溝内に嵌合して上下方向へスライドすると共に、抜け落ち不能に支持される。
このようにバッヂ１においては、係止片１５は、軸部１１に一体化された基部２０と、基部によって上下動自在に支持された可動錘部２１と、を備え、可動錘部２１は、基部背面に連設した上昇位置と、該上昇位置から下降した下降位置との間を進退自在に支持されている。
【００１３】
本実施形態では、抜け落ち防止部材１０を装飾部材と一体化された基部２０と、基部によって上下動自在に支持された可動錘部２１とから構成し、抜け落ち防止部材１０を装着穴内に差し込んだ後で、可動錘部２１を下降させてその重心が下方に偏位するように偏重心構造としているため、（ｂ）に示したように抜け落ち防止部材の可動錘部２１が下方に位置した状態で安定する。このため、装飾部材２の姿勢も常に正規の姿勢を維持することができる。
なお、バッヂを装着穴に装着する際には、バッヂの上下を逆にしておくことにより可動錘部２１が基部２０の背面に連設された状態とすることにより、抜け落ち防止部材１０を装着穴内に差込み易くなる。一方、抜け落ち防止部材１０を装着穴内に差し込んだ後はバッヂ全体を正規の姿勢に戻すことにより、可動錘部２１が自重により（ｂ）のように下方へ移動する。このため、装飾部材は正規の姿勢を維持し続けることができる。
実際の製造に当たっては、基部２０に対して可動錘部２１を組み付けるために、溝２１ａの一端を予め可動錘部２１の側面まで延在させて開放しておき、この溝の一端開放部から係合突起２０ａを溝内に差し込んでから溝の一端開放部を塞ぐようにすればよい。
【００１４】
次に、図３（ａ）及び（ｂ）は本発明の他の実施形態に係るバッヂの構成を示す側面図、及び分解斜視図であり、（ｃ）は可動錘部の分解図である。
このバッヂ１は、形状、又は前面デザインが上下の方向性を有した装飾部材２と、装飾部材の背面に固定された抜け落ち防止部材１０と、を備え、抜け落ち防止部材１０を衣服に形成したスリット状の装着穴に前面から挿通して装着穴の背面側に突出させることにより装飾部材を装着穴の前面側に係止するように構成されている。
抜け落ち防止部材１０は、一端を装飾部材背面に固定した小径の軸部１１と、軸部の他端に一体化された大径の係止片１５と、を備えている。係止片１５は、軸部１１の他端に固定された基部３０と、基部３０によって上下動（上下回動）自在に支持された可動錘部３１と、を備えている。
【００１５】
図３（ａ）のように可動錘部３１が上方に位置して軸部１１と同一軸線状に突出した姿勢にある時には弾丸形状、その他、スリット状の装着穴に装着し易い形状となっている。一方、（ａ）中に実線で示した状態（上昇位置）で抜け落ち防止部材１０をスリット状の装着穴に装着した後では、可動錘部３１は破線で示したように自重により下方へ回動する。このように可動錘部３１を下方（下降位置）へ変位させることで、抜け落ち防止部材１０の重心が下方へ偏位し、装飾部材２の姿勢を常に上向きの正規の状態に維持することが可能となる。
基部３０により可動錘部３１を上下動自在に支持する構造としては、基部３０を構成する左右一対の支持軸３０ａを、可動錘部３１に設けた軸穴３１ａ内に嵌合させる手法を挙げることができる。
このようにバッヂ１においては、係止片１５は、軸部１１に一体化された基部３０と、基部によって上下方向へ回動自在に支持された可動錘部３１と、を備え、可動錘部３１は、基部背面に連設した上昇位置と、該上昇位置から下降した下降位置との間を進退自在に支持されている。
【００１６】
本実施形態では、抜け落ち防止部材１０を装飾部材と一体化された基部３０と、基部によって上下方向へ回動自在に支持された可動錘部３１とから構成し、抜け落ち防止部材１０を装着穴内に差し込んだ後で、可動錘部３１を下降させてその重心が下方に偏位するように偏重心構造としているため、図３（ｂ）に示したように抜け落ち防止部材の可動錘部３１が軸部１１よりも下方に位置した状態で安定する。このため、装飾部材２の姿勢も常に正規の姿勢を維持することができる。
なお、バッヂを装着穴に装着する際には、バッヂの上下を逆にしておくことにより可動錘部３１が基部３０の背面に連設された状態とすることにより、抜け落ち防止部材１０を装着穴内に差込み易くなる。一方、抜け落ち防止部材１０を装着穴内に差し込んだ後はバッヂ全体を正規の姿勢に戻すことにより、可動錘部３１が自重により（ａ）中に破線で示すように下方へ移動する。このため、装飾部材は正規の姿勢を維持し続けることができる。
なお、基部３０に対して可動錘部３１を回動自在に組み付ける際には、例えば（ｂ）（ｃ）に示すように可動錘部３１を切断線３２に沿って予め２分割可能に構成しておき、分割した状態で内部の支持穴３３内に基部３０を嵌合させてから２つの分割片３４を接着等により接合すればよい。
【００１７】
以上のように本発明のバッヂによれば、上着の襟等に設けたスリット状の装着穴を利用して取り付けられるタイプのバッヂにおいて、装着穴内に一部を差し込むだけで取付けが完了し、しかも装着穴内に取り付けた後では低重心の抜け落ち防止部材がバッヂ全体の回転を阻止して装着部材の方向性（上下方向姿勢、或いは左右方向姿勢）を正しく維持できる。バッヂの装着者が激しく動作することにより、装飾部材の姿勢が変化することがあったとしても、激しい動作が終了した後では抜け落ち防止部材のバランサーとしての姿勢矯正機能によって装飾部材は常に正規の姿勢に復帰する。
また、抜け落ち防止部材を装飾部材に固定された基部と、基部によって可動な状態に支持された可動錘部とから構成した場合には、抜け落ち防止部材を装着穴内に差し込む際には差込み易い形状を維持することができる一方で、差し込んだ後は低重心の形態に変形して装飾部材の姿勢を正規に維持することができる。
特に、軸部をスリット状の装着穴に沿った細長い断面積を有した形状とすることにより、軸部が装飾部材の回転を効果的に阻止することができる。
【符号の説明】
【００１８】
１…バッヂ、２…装飾部材、４…交差部、５…係止片、１０…防止部材、１１…軸部、１５…係止片、１５ａ…下部、２０…基部、２０ａ…係合突起、２１…可動錘部、２１ａ…溝、３０…基部、３０ａ…支持軸、３１…可動錘部、３１ａ…軸穴、３２…切断線、３３…支持穴、３４…分割片
【図１】
0005717562.tif 000002
【図２】
0005717562.tif 000003
【図３】
0005717562.tif 000004